(57)【要約】  サービスステーションインターフェースを提供するための実施形態が含まれる。システムのいくつかの実施形態は、サービスステーションのサービス区画内のハンドヘルドジェット分配装置を受容するためのサービスステーションと、メモリコンポーネントと、を含む。メモリコンポーネントは、プロセッサによって実行されると、システムに、メンテナンス機能をハンドヘルドジェット分配装置上で実装するべきかどうかを判定させ、メンテナンス機能を実装するべきと判定したことに応答して、サービスステーションが閉じたかどうかを判定させ、サービスステーションが閉じた場合、メンテナンス機能の実行中にサービスステーションのインターフェース機能に係合させる、ロジックを格納してもよく、インターフェース機能は、サービス区画にアクセスすることに関連する。いくつかの実施形態では、ロジックは、システムに、メンテナンス機能が終了したことを判定させ、メンテナンス機能が終了したことを判定したことに応答して、インターフェース機能を係脱させる。
2019507028.tif 000002
【特許請求の範囲】
【請求項１】
サービスステーションインターフェースを提供するためのシステムであって、
前記サービスステーションのサービス区画内のハンドヘルドジェット分配装置を受容するためのサービスステーションと、
ロジックを格納するメモリコンポーネントであって、前記ロジックは、前記プロセッサによって実行されるとき、前記システムに、少なくとも、
メンテナンス機能を前記ハンドヘルドジェット分配装置上で実装するべきかどうかを判定し、
前記メンテナンス機能を実装するべきと判定したことに応答して、前記サービスステーションが閉じたかどうかを判定し、
前記サービスステーションが閉じた場合、前記メンテナンス機能の実行中に前記サービスステーションのインターフェース機能に係合し、前記インターフェース機能は、前記サービス区画にアクセスすることに関連し、
前記メンテナンス機能が終了したことを判定し、
前記メンテナンス機能が終了したことを判定したことに応答して、前記インターフェース機能を係脱する、
ことを行わせる、メモリコンポーネントと、
を含む、システム。
【請求項２】
前記ハンドヘルドジェット分配装置は、カメラレンズと、少なくとも１つのノズルを伴うカートリッジと、を含み、前記メンテナンス機能は、前記カメラレンズの拭き取り、前記カートリッジノズルの拭き取り、貯留部への溶液の噴出、及び前記サービスステーションの較正のうちの少なくとも１つを含む、請求項１に記載のシステム。
【請求項３】
前記インターフェース機能は、前記サービス区画へのアクセスを妨げるロック機構と、ユーザーに前記サービス区画へのアクセスの制限を知らせる視覚出力と、前記ユーザーに前記サービス区画へのアクセスの制限を知らせる触覚出力と、前記ユーザーに前記サービス区画へのアクセスの制限を知らせる可聴指示と、サービス区画へのアクセスの制限が解除される時間を判定するタイマーと、のうちの少なくとも１つを含む、請求項１又は２に記載のシステム。
【請求項４】
前記ロジックは、更に、前記システムに、
前記ロック機構を作動しないようにする第１のユーザーオプションを提供し、前記サービス区画への即時アクセスを提供することと、
前記サービスステーションの前記ロック機構を手動で係合する第２のユーザーオプションを提供することと、
のうちの少なくとも１つを行わせる、請求項１〜３のいずれか一項に記載のシステム。
【請求項５】
前記インターフェース機能はロック機構を含み、前記ロジックは、更に、本システムに少なくとも
前記サービスステーションの前記ロック機構を係脱させるユーザーオプションを提供することと、
前記メンテナンス機能が遮断され得る時間を判定することと、
ユーザーに、前記サービスステーションの前記ロック機構が係脱される時間を示す前記時間を提供することと、
を行わせる、請求項１〜４のいずれか一項に記載のシステム。
【請求項６】
前記ロジックは、更に、前記システムに少なくとも、
前記時間に到達したことに応答して、前記メンテナンス機能を遮断し、前記ロック機構を係脱することと、
前記サービスステーションが開いたことを判定することと、
前記サービスステーションが閉じたことを判定することと、
前記ロック機構を再係合させることと、
前記メンテナンス機能を再開することと、
を行わせる、請求項１〜５のいずれか一項に記載のシステム。
【請求項７】
更に、前記ハンドヘルドジェット分配装置を充電するための、前記サービスステーション上の第１の物理的接触点及び前記ハンドヘルドジェット分配装置上の第１の物理的接触点と、前記サービスステーションと前記ハンドヘルドジェット分配装置との間の通信を容易にするための、前記サービスステーション上の第２の物理的接触点及び前記ハンドヘルドジェット分配装置上の第２の物理的接触点と、前記ハンドヘルドジェット分配装置を充電するための、前記サービスステーションと前記ハンドヘルドジェット分配装置との間の第１の無線接続と、前記サービスステーションと前記ハンドヘルドジェット分配装置との間の通信を容易にするための、前記サービスステーションと前記ハンドヘルドジェット分配装置との間の第２の無線接続と、のうちの少なくとも１つを含む、請求項１〜６のいずれかに記載のシステム。
【請求項８】
サービスステーションインターフェースを提供するための方法であって、
ハンドヘルドジェット分配装置がサービスステーションから取り外されたことを検出することであって、前記ハンドヘルドジェット分配装置は、カメラレンズ及びカートリッジノズルを含む、検出することと、
前記ハンドヘルドジェット分配装置が前記サービスステーションから離れた時間が、所定の閾値時間を満たすかどうかを判定することと、
前記ハンドヘルドジェット分配装置が前記サービスステーションから離れた前記時間が、前記所定の閾値時間を満たしたことを判定したことに応答して、前記サービスステーションから離れた前記ハンドヘルドジェット分配装置に関連する第１のインターフェース機能を提供することと、
前記サービスステーションが前記ハンドヘルドジェット分配装置を受容したこと及び前記サービスステーションが閉じたと判定したことに応答して、メンテナンス機能を開始し、前記メンテナンス機能に関連する第２のインターフェース機能に係合することと、
前記メンテナンス機能が終了したことを判定したことに応答して、前記第２のインターフェース機能を係脱することと、
を含む、方法。
【請求項９】
前記メンテナンス機能は、前記カメラレンズの拭き取り、前記カートリッジノズルの拭き取り、貯留部への溶液の噴出、及び前記サービスステーションの較正のうちの少なくとも１つを含む、請求項８に記載の方法。
【請求項１０】
前記メンテナンス機能が遮断され得る時間を判定することと、
前記メンテナンス機能を遮断し前記第２のインターフェース機能を係脱するユーザーの命令を受信することと、
ユーザーに、前記第２のインターフェース機能が係脱される前記時間を提供することと、
を更に含む、請求項８又は９に記載の方法。
【請求項１１】
前記時間に到達したことに応答して、前記メンテナンス機能を遮断し、前記第２のインターフェース機能を係脱することと、
前記サービスステーションが開いたことを判定することと、
前記サービスステーションが閉じたことを判定することと、
前記第２のインターフェース機能を再係合させることと、
前記メンテナンス機能を再開することと、
を更に含む、請求項１０に記載の方法。
【請求項１２】
前記第１のインターフェース機能は、ユーザーに前記ハンドヘルドジェット分配装置を前記サービスステーションに戻すことを命令する可視指示と、前記ユーザーに前記ハンドヘルドジェット分配装置を前記サービスステーションに戻すことを命令する可聴指示と、前記ユーザーに前記ハンドヘルドジェット分配装置を前記サービスステーションに戻すことを命令する触覚指示と、のうちの少なくとも１つを含む、請求項８〜１１のいずれか一項に記載の方法。
【請求項１３】
前記第２のインターフェース機能は、ロック機構、可視指示、可聴指示、及び触覚指示の少なくとも１つを含む、請求項８〜１２のいずれか一項に記載の方法。
【請求項１４】
前記サービスステーションが開いたことを判定することと、
前記サービスステーションが開いたことを判定したことに応答して、第３のインターフェース機能を提供することであって、前記第３のインターフェース機能は、ユーザーに前記サービスステーションを閉じることを命令する可視指示と、前記ユーザーに前記サービスステーションを閉じることを命令する可聴指示と、前記ユーザーに前記サービスステーションを閉じることを命令する触覚指示と、のうちの少なくとも１つを含む、提供することと、
を更に含む、請求項８〜１３のいずれか一項に記載の方法。
【発明の詳細な説明】
【技術分野】
【０００１】
本開示は、概して、サービスステーションルーチンを提供するためのシステム及び方法に関し、特に、ハンドヘルドデバイスサービスステーションのために利用され得るメンテナンス機構及びロック機構に関する。
【背景技術】
【０００２】
インクジェットデバイス、圧電デバイス、及び熱デバイスは、個人の印刷と業務上の印刷との両方の目的に共通である。通常、そのようなデバイスは、高品質の印刷物及び写真を作る手段として、消費者の自宅で見られる。消費者用途では、消費者による最小労力で信頼できる性能の必要性が高くなる。このため、全ての既存の消費者用印刷デバイスは、高品質の印刷を維持するための高度な処理過程を含む。消費者用インクジェット印刷デバイスが、数千の個々のノズル（各ノズルは、５〜２０マイクロメートルと同じくらい小さいサイズである）を含有することは一般的である。加えて、そのようなデバイスのほとんどのインクは、揮発性であり、空気に露出すると、すぐに乾燥する傾向がある。小さく多数のノズル及び速い乾燥時間に起因して、数千ページの印刷の過程及び印刷間の潜在的に長期間にわたって、全てのノズルが適切に作動し続けることは難しい。これらの要求に起因して、印刷ノズルが良好に継続して機能する機構を考案する、たくさんの取り組みがプリンタ製造業者によって行われている。ほとんどの消費者は、自動的に生じるような高品質の印刷を確実にするために発生する全てのサービス提供の知識がない。
【０００３】
固定式のインクジェット印刷デバイスのノズルを提供することが既知である一方、ハンドヘルド印刷デバイス用のインクジェットノズルを自動的に提供する方法を考慮する必要性はほとんどない。ハンドヘルドインクジェット印刷デバイスは、一般的ではなく、製造中のボックスのラベル付けのような工業用業務で通常使用される。そのような場合、ノズルに必要なサービス提供は手動で行われる。これらのハンドヘルドプリンタは、それぞれの使用後にインクジェットカートリッジの取り外しが必要とされ、手動で、プリントヘッドを拭きキャップをする必要がある。これは、そのような工業用途に関して、許容範囲であり得る。しかしながら、ハンドヘルド印刷デバイスのために自動サービス提供の解決策を作ることが必要とされていない状況である。
【発明の概要】
【課題を解決するための手段】
【０００４】
サービスステーションルーチンを提供するための実施形態が含まれる。システムのいくつかの実施形態は、ハンドヘルドジェット分配装置を受容するためのサービスステーションと、ロジックを格納するメモリコンポーネントと、を含む。ロジックがプロセッサによって実行されると、本システムに、サービスステーションがハンドヘルドジェット分配装置を受容したことに応答して、ハンドヘルドジェット分配装置を識別させてもよく、ハンドヘルドジェット分配装置を識別することは、ハンドヘルドジェット分配装置の前回のメンテナンスの時間を判定することを含む。いくつかの実施形態では、ロジックは、本システムに、前回のメンテナンスの時間が所定の閾値を満足しているかどうかを判定させ、前回のメンテナンスの時間が所定の閾値を満足したことを判定することに応答して、実行する所望のメンテナンスルーチンを判定させ、所望のメンテナンスルーチンを実行させ、現在の時間を前回のメンテナンスの時間として記録させる。
【０００５】
方法の実施形態もまた含まれる。本方法のいくつかの実施形態は、ハンドヘルドジェット分配装置をサービスステーションで受容することと、ハンドヘルドジェット分配装置が登録されたかどうかを判定することと、ハンドヘルドジェット分配装置が登録されたことを判定することに応答して、ハンドヘルドジェット分配装置への前回のメンテナンスの時間を判定することと、を含む。本方法のいくつかの実施形態は、前回のメンテナンスの時間が所定の閾値を満足しているかどうかを判定することと、前回のメンテナンスの時間が所定の閾値を満足したことを判定することに応答して、実行する所望のメンテナンスルーチンを判定し、所望のメンテナンスルーチンを実行することと、現在の時間を前回のメンテナンスの時間として記録することと、を含む。
【０００６】
また、非一時的コンピュータ読み取り可能媒体の実施形態も含まれる。非一時的コンピュータ読み取り可能媒体のいくつかの実施形態は、プロセッサによって実行されるとき、デバイスに、サービスステーションがハンドヘルドジェット分配装置を受容したことに応答して、ハンドヘルドジェット分配装置を識別させ、ハンドヘルドジェット分配装置を識別することは、ハンドヘルドジェット分配装置がメンテナンスの期限を過ぎているかどうかを判定することを含む。いくつかの実施形態では、ロジックは、デバイスに、ハンドヘルドジェット分配装置がメンテナンスの期限を過ぎているかどうかを判定したことに応答して、実行する所望のメンテナンスルーチンを判定させ、ハンドヘルドジェット分配装置がサービスステーション内に存在する間に、ハンドヘルドジェット分配装置上の所望のメンテナンスルーチンを実行させ、ハンドヘルドジェット分配装置及びメンテナンスに関するデータを記録させる。
【図面の簡単な説明】
【０００７】
前述の一般的な説明及び以下の詳細な説明は両方とも、種々の実施形態を説明し、特許請求される発明の主題の本質及び特徴を理解するための概観又は骨組を提供することが意図されることを理解されたい。添付の図面は、種々の実施形態の更なる理解を提供するために含められたものであり、本明細書の一部に組み込まれると共に本明細書の一部をなすものである。図面は、本明細書に記述される種々の実施形態を例示し、説明と共に、特許請求される発明の主題の原理及び動作を説明する役割を果たす。
【図１】本明細書に開示される実施形態による、ハンドヘルドジェット分配装置及びサービスステーションを示す。
【図２Ａ】本明細書に記述される実施形態による、１つ以上のメンテナンス機能を提供するために利用され得る、ハンドヘルドジェット分配装置及びカセットの別の図を示す。
【図２Ｂ】本明細書に記述される実施形態による、１つ以上のメンテナンス機能を提供するために利用され得る、ハンドヘルドジェット分配装置及びカセットの別の図を示す。
【図２Ｃ】本明細書に記述される実施形態による、１つ以上のメンテナンス機能を提供するために利用され得る、ハンドヘルドジェット分配装置及びカセットの別の図を示す。
【図２Ｄ】本明細書に記述される実施形態による、１つ以上のメンテナンス機能を提供するために利用され得る、ハンドヘルドジェット分配装置及びカセットの別の図を示す。
【図３】本明細書に記述される実施形態による、メンテナンス機能を実行するための要素を含む、サービスステーションの複数の内部構成要素を示す。
【図４】本明細書に記述される実施形態による、エネルギーをハンドヘルドジェット分配装置の貯留部内に付与する、フローチャートを示す。
【図５】本明細書に記述される実施形態による、サービスステーションがハンドヘルドジェット分配装置に対するメンテナンス機能を行う時期を判定するフローチャートを示す。
【図６】本明細書に記述される実施形態による、ハンドヘルドジェット分配装置上で行うために所望のメンテナンス機能を判定するためのフローチャートを示す。
【図７】本明細書に記述される実施形態による、サービスステーション上でロック機構に係合するためのフローチャートを示す。
【図８】本明細書に記述される実施形態による、サービスステーションのメンテナンス機能を遮断するためのフローチャートを示す。
【図９】本明細書に記述される実施形態による、インターフェース機能に係合するためのフローチャートを示す。
【図１０】本明細書に記述される実施形態による、メンテナンス機能及び／又はロック機構を実装するためのコンピューティングデバイスを示す。
【発明を実施するための形態】
【０００８】
本明細書で開示される実施形態は、サービスステーションルーチンを提供するためのシステム及び方法を含む。具体的には、本明細書に記述される実施形態は、ハンドヘルドジェット分配装置用のメンテナンス機能及びインターフェース機能を行うように構成されてもよい。メンテナンス機能は、ハンドヘルドジェット分配装置によって格納及び分配される溶液の所望の流体均一性を維持するための機能を含んでもよい。同様に、いくつかの実施形態は、ハンドヘルドジェット分配装置上でカメラレンズ及び／又はカセットノズルを洗浄するためのメンテナンス機能を含んでもよい。いくつかの実施形態は、ハンドヘルドジェット分配装置の較正のための並びに／又はサービスステーション及び／若しくはハンドヘルドジェット分配装置の較正構成要素を洗浄するための、メンテナンス機能を含んでもよい。
【０００９】
同様に、いくつかの実施形態は、サービスステーションインターフェース機能（第１のインターフェース機能、第２のインターフェース機能、第３のインターフェース機能等）を提供するために構成されてもよい。インターフェース機能は、サービス区画へのアクセスを妨げるロック機構と、ユーザーにサービス区画へのアクセスの制限を知らせる視覚指示と、ユーザーにサービス区画へのアクセスの制限を知らせる触覚指示と、ユーザーにサービス区画へのアクセスの制限を知らせる可聴指示と、サービス区画へのアクセスの制限が解除される時間を判定するタイマーと、及び／又は他のインターフェースと、を含んでもよい。
【００１０】
例として、いくつかの実施形態は、メンテナンス機能が実行し及びメンテナンス機能の実行中にサービスステーションのロック機構に係合する時期を判定するように構成されてもよい。遮断によりハンドヘルドジェット分配装置に対して害が及び得るとき又は別の望まない時間に、ロック機構は、ユーザーがメンテナンス機能を遮断しないようにしてもよい。いくつかの実施形態は、内部又はサービスステーションへのアクセスを提供するユーザー命令を受信するように、並びにメンテナンス機能を遮断するための及びロック機構を係脱するための適切な時間を判定するように構成されてもよい。いくつかの実施形態は、メンテナンス機能を無効にし及びハンドヘルドジェット分配装置への即時アクセスを提供するように構成されてもよい。同様に、ハンドヘルドジェット分配装置がサービスステーションに戻りサービスステーションが閉じたとき、サービスステーションはロック機構に再係合し得る。
【００１１】
同様に、いくつかの実施形態は、カートリッジを交換するべきかどうかを判定するために、溶液の使用を判定するように構成されてもよい。カートリッジを交換するべきと判定したことに応答して、ユーザーにカートリッジを交換する指示が提供されてもよい。
【００１２】
ここで図を参照すると、図１は、本明細書に開示される実施形態による、ハンドヘルドジェット分配装置１０２及びサービスステーション１０４を示す。例示されるように、ハンドヘルドジェット分配装置１０２は、皮膚欠陥の被覆を提供し、溶液を表面に塗布し、溶液を布に塗布し、及び／又は溶液を他の物品に塗布するために構成されてもよい。ハンドヘルドジェット分配装置１０２は、また、ノズルカバー１０６を含んでもよく、このノズルカバー１０６は、サービスステーション１０４内に分離して格納され、使用時、ハンドヘルドジェット分配装置１０２に取り付けられてもよい。いくつかの実施形態においてノズルカバー１０６から分離されるか及び／又はハンドヘルドジェット分配装置１０２と一体であるかどうかに関わらず、サービスステーション１０４は、ハンドヘルドジェット分配装置１０２を受容するように構造化されてもよい。
【００１３】
それに関係なく、ユーザーは、格納、充電、較正のために、及び／又は１つ以上のメンテナンス機能を行うために、ハンドヘルドジェット分配装置１０２をサービスステーション１０４のサービス区画内に設置してもよい。サービスステーション１０４の外部表面（又は遠隔デバイス上などの他の場所）に、１つ以上のソフトボタン、アラート、及び／又は他のデータを提供するためのディスプレイを含み得る、ユーザーインターフェースが提供されてもよい。いくつかの実施形態では、ユーザーインターフェースは、実施形態に応じて、１つ以上の触覚ボタンを含んでもよい。ディスプレイは、液晶ディスプレイ（ＬＣＤ）、発光ダイオード（ＬＥＤ）、及び／又は他の種類の視覚ディスプレイを含んでもよい。実施形態に応じて、ディスプレイは、「ソフトボタン」又は他のオプションを提供するタッチスクリーンを含んでもよい。オーディオデバイスは、スピーカ又は音を作るための他のデバイスを含んでもよい。触覚ボタンは、入力デバイス又はユーザーからの入力を受信するための他のハードウェアを含んでもよい。
【００１４】
サービスステーション１０４は、また、サービスステーション１０４のサービス区画へのアクセスをロックするためのロック機構を含んでもよい。ロック機構は、コンピューティングデバイスによって制御され得る任意の種類のハードウェアロック機構を含んでもよい。下記により詳細に説明されるように、コンピューティングデバイスは、サービスステーション１０４及び／又はハンドヘルドジェット分配装置１０２に一体化されてもよい。
【００１５】
いくつかの実施形態は、サービスステーション１０４が開いているか又は閉じているかどうかを判定するために、サービスステーション１０４上に１つ以上のセンサを含んでもよい。例として、ボタンセンサ、近接センサ、及び／又は同等物は、サービスステーション１０４内に含まれてもよい。同様に、ロック機構は、サービスステーション１０４が閉鎖位置にある状態のとき、ロック機構が適切に係合される時期を判定するセンサを含んでもよい。
【００１６】
いくつかの実施形態では、ハンドヘルドジェット分配装置１０２を充電するために、サービスステーション１０４は第１の物理的接触点を含んでもよく、第２の物理的接触点は、ハンドヘルドジェット分配装置１０２上に存在してもよい。サービスステーション１０４とハンドヘルドジェット分配装置１０２との間の通信（有線及び／又は無線）を容易にするために、別の物理的接触点が、サービスステーション１０４上に存在してもよく、更なる別の物理的接触点が、ハンドヘルドジェット分配装置１０２上に存在してもよい。いくつかの実施形態では、ハンドヘルドジェット分配装置１０２を充電するために、サービスステーション１０４とハンドヘルドジェット分配装置１０２との間に、第１の無線通信が提供されてもよい。同様に、いくつかの実施形態は、サービスステーション１０４とハンドヘルドジェット分配装置１０２との間の通信を容易にするために、サービスステーション１０４とハンドヘルドジェット分配装置１０２との間に、第２の無線通信を含んでもよい。
【００１７】
図２Ａ〜２Ｄは、本明細書に記述される実施形態による、１つ以上のメンテナンス機能を提供するために利用され得る、ハンドヘルドジェット分配装置１０２及びカセット２０４の別の図を示す。図２Ａに例示されるように、サービスステーション１０４は、コンピューティングデバイス２０２及びカセット２０４を含んでもよい。コンピューティングデバイス２０２は、サービスロジック２４４ａ及びインターフェースロジック２４４ｂを含んでもよい。下記により詳細に説明されるように、サービスロジック２４４ａは、洗浄プロセス、較正プロセス等のメンテナンス機能を行うための１つ以上のアルゴリズムを含んでもよい。いくつかの実施形態では、サービスロジック２４４ａは、メンテナンス、較正等が行われたときに記録するためのメンテナンスタイマーを提供するためのタイマーを提供するためのロジックを含んでもよい。いくつかの実施形態では、メンテナンスタイマーは、ハンドヘルドジェット分配装置１０２上に提供されてもよい。インターフェースロジック２４４ｂは、ロック機構を実装するための、及び／又は表示デバイス２０５を介して、ロック機構若しくは他のインターフェース機能を実装する命令を提供するための、１つ以上のアルゴリズムを含んでもよい。表示デバイス２０５は、液晶ディスプレイダイオード（ＬＣＤ）表示、発光ダイオード（ＬＥＤ）表示、及び／又は視覚出力を提供するための他の機構を含んでもよい。
【００１８】
コンピューティングデバイス２０２がサービスステーション１０４内に含まれ得る一方で、いくつかの実施形態は、ハンドヘルドジェット分配装置１０２に一体化されるメモリデバイス２４０を含むコンピューティングデバイス２０２で構成されてもよいことを理解されたい。そのような実施形態では、ハンドヘルドジェット分配装置１０２は、所望のメンテナンス機能及び／又はインターフェース機構を判定するように、並びに、これらの機能を実装するためにサービスステーション１０４にコマンド及び／又は命令を送信するように構成されてもよい。
【００１９】
図２Ｂ〜２Ｄに例示されるように、カセット２０４は、ハンドヘルドジェット分配装置１０２上のカメラ及び／又はカセットノズルを洗浄するための構成要素を含み得る円筒状デバイスを含んでもよい。具体的には、カセット２０４は、カメラレンズ及びノズル用のワイピング要素を含む、開口部２０８を伴う外部２０６並びに内部２１０を含んでもよい。カセット２０４は、外部２０６の内部に存在し、カセット２０４の中心軸に沿って回転するように構成されてもよい。内部２１０は、較正対象２１２（図２Ｃ）並びにスピットン２１４（図２Ｄ）を含んでもよい。したがって、カセット２０４は、ハンドヘルドジェット分配装置１０２を洗浄、較正、及び／又は別の方法でメンテナンスするために、これらの機能を利用してもよい。また、光検出器２０９（図２Ａ）又は他のセンサが含まれ、これらのセンサは、カセット２０４をサービスステーション１０４内に位置付けるために利用されてもよい。
【００２０】
図３は、本明細書に記述される実施形態による、メンテナンス機能を実行するための要素を含む、サービスステーション１０４の複数の内部構成要素を示す。例示されるように、サービスステーション１０４は、アクチュエータ３０６による線形に作動する線形作動部材３０８を含む線形作動システムを含む、サービスシステムを含んでもよい。本実施形態では、線形作動部材３０８は、ラック型ギアであり、ピニオンギアが回転するにつれてピニオンギアに係合して直線的に移動する。上記に説明されたように、線形作動部材３０８は、ワイピング要素３０４と、組成物受容要素３０２（吸収パッドの形態）と、を含み、また、較正要素（図示しない）を含むことができる。線形作動部材３０８は、また、サービスシステムを取り外すために（例えば、交換のために）使用され得るハンドル要素を含んでもよい。他の実施形態では、サービスシステムは、交換可能ではない場合がある。
【００２１】
任意の好適なギア配置は、平歯車、ラックアンドピニオンギア、内歯車、フェースギア、はすば歯車、ウォームギア等の、サービスシステムの回転運動及び／又は直線運動のいずれかを生じさせるために使用され得る。更に、カムなどの非ギア連結が使用されてもよい。いくつかの実施形態では、アクチュエータは、サービスシステムを直接作動させてもよい。
【００２２】
図４は、本明細書に記述される実施形態による、エネルギーをハンドヘルドジェット分配装置１０２の貯留部内に付与する、フローチャートを示す。ブロック４５０に例示されるように、サービスステーション１０４は、ハンドヘルドジェット分配装置１０２を受容し、受容されたデバイスを識別してもよい。ハンドヘルドジェット分配装置１０２は、それ自体を識別するサービスステーション１０４と通信し、及び／又は他の情報を提供するように構成されてもよい。他の情報は、最終サービスの日時、最終サービスの種類、最終サービス以降（又は他の時期）に発生した故障等を含んでもよい。ブロック４５２において、この情報を用いて、サービスステーション１０４は、ハンドヘルドジェット分配装置１０２が受容された前回のメンテナンスを判定してもよい。ブロック４５４において、サービスステーション１０４は、溶液の流体均一性が、所定の流体均一性に実質的に一致するかどうかを判定してもよい。具体的には、ハンドヘルドジェット分配装置１０２内の溶液は、皮膚欠陥を処置し、溶液を布に塗布し、溶液を表面に塗布し、及び／又は溶液を他の物品に塗布するための１つ以上の成分で構成されてもよい。上記に説明されたように、溶液は、行われる特定の処置に応じて、任意の複数の異なる形態をとってもよい。したがって、ハンドヘルドジェット分配装置１０２及び／又は貯留部は静止している場合、又はそうでなければ、一定の期間使用されていない場合、溶液は沈殿する場合があり、及び／又は溶液を作る成分は分離し得る。結果として、溶液は、ハンドヘルドジェット分配装置１０２内で使用される所望の流体均一性を欠くことがある。したがって、サービスステーション１０４（及び／又はハンドヘルドジェット分配装置１０２）は、溶液の流体均一性を判定するための１つ以上のセンサを含んでもよい。
【００２３】
例として、ハンドヘルドジェット分配装置１０２は、ハンドヘルドジェット分配装置１０２の移動、使用、及び／又は、その移動若しくは使用のタイミングを判定するタイマーを含み、対象時間が所望のレベル（特定の溶液に応じて変動し得る）を超えて溶液の流体均一性が変化する時間を超えるかどうかを判定してもよい。同様に、いくつかの実施形態は、溶液に所望の不透明度があるかどうかを判定する不透明度センサ又は光センサで構成されてもよい。溶液の不透明度が所望のレベルではない場合、サービスステーション１０４は、流体均一性が所望の流体均一性を満たしていないことを判定してもよい。また、他のセンサ及び判定も行われてもよい。
【００２４】
別の例として、カートリッジが一度も使用されたためしがない新しいカートリッジである場合、いくつかの実施形態では、エネルギーが所望の流体均一性に到達するために導入される、特定量のエネルギー及び期間を費やすであろう。これらの実施形態では、カートリッジ上の識別子は、カートリッジが新しい若しくは事前に使用された、及び／又は他の情報であるかどうか、カートリッジの中身を判定するためにアクセスしてもよい。カートリッジが新しいものとして判定される場合、新しいカートリッジルーチンは、所望の流体均一性に到達するために実装されてもよい。カートリッジが使用されたものである場合、溶液の種類、最後の使用以降の時間等に基づいて、特有のサービスルーチンが起動してよい。いくつかの実施形態では、溶滴の数を追跡してもよく、それにより、カートリッジが使用されたものと判定された場合、製造されてからの期間又は最初の使用以降の時間により、カートリッジを交換するべきであることをユーザーに伝えてよい。他の実施形態では、カートリッジの中身は、特定の配合物に必要なサービスルーチンの種類を判定するであろう。
【００２５】
カートリッジが、カートリッジの全寿命の間、ハンドヘルドジェット分配装置１０２内に存在する実施形態では、サービスステーション１０４は、ハンドヘルドジェット分配装置１０２がサービスステーション１０４から外れる（それにより、カートリッジが外れる）時間を判定してもよい。いったん所定の時間閾値に到達すると、サービスステーション１０４は、閾値、溶液、及び／又は他の要因に基づいて、所定のエネルギー量、エネルギーの種類、及びエネルギーを付与する時間を導入するであろう。消費者がハンドヘルドジェット分配装置１０２内で複数のカートリッジを採用することが可能であることにより、カートリッジＡを取り外し及びカートリッジＢを挿入する実施形態において、その実施形態では、カートリッジ内の溶液に基づいて、カートリッジを認識し（新しい、使用済み、最後に使用されたときの使用回数等）及び特定のルーチンを判定するように構成されてもよい。いくつかの配合物がキャップされる及び／又は拭かれるだけである一方、他のもの（色素性があるような不安定な配合物）は、溶液を再分散するためにエネルギーを付与することだけでなく、拭き取り及び／又はキャップされることも必要とし得る。
【００２６】
図４に戻り、それを参照すると、ブロック４５６において、溶液濃度が所定の濃度に実質的に一致しないことを判定したことに応答して、所望の濃度（及び／又は他の容認可能な濃度レベル）に到達させるために、溶液中にエネルギーを導入してもよい。例として、エネルギーを付与することは、溶液を適切に混合し所望の濃度に到達させるために、揺れ、振動、スピンニング、磁場の導入、電場の導入等を含み得る。ブロック４５８において、いったん流体均一性が容認可能レベルに到達すると、メンテナンスタイマーがリセットされてもよい。
【００２７】
図５は、本明細書に記述される実施形態による、サービスステーション１０４がハンドヘルドジェット分配装置１０２に対するメンテナンス機能を行う時期を判定するフローチャートを示す。ブロック５５０に例示されるように、前回のメンテナンス以降の時間が判定されてもよい。上記に説明されたように、ハンドヘルドジェット分配装置１０２からの情報の受信に応答して、判定が行われてもよい。いくつかの実施形態では、サービスステーション１０４は、受信したハンドヘルドジェット分配装置１０２に対する前回のメンテナンスを記録し、その情報から判定を行ってもよい。メンテナンスは、カメラ洗浄、較正、ノズル洗浄、及び／又は他のメンテナンスを含んでもよく、ひいては、サービスステーション１０４は、前回のメンテナンスに関する１つ以上の判定を行ってもよい。それに関係なく、ブロック５５２において、対象時間がメンテナンスに関する所定の閾値を超えるかどうかについての判定が行われてもよい。具体的には、ハンドヘルドジェット分配装置１０２は、所定のスケジュールに従って、較正、洗浄、及び／又は別の方法でメンテナンスされる場合、最適に機能し得る。メンテナンスの種類に基づく複数の異なるスケジュールがあり得るように、この種類の判定は、１つ以上のメンテナンスの種類がそのメンテナンスの種類に関する所定の閾値を超えているかの検査を含んでもよい。ブロック５５４において、対象時間が所定の時間を超えたことを判定したことに応答して、所定のメンテナンスルーチンを実装してもよい。ブロック５５６において、メンテナンスタイマーをリセットしてもよく、現在の時間を前回のメンテナンスの時間として記録してもよい。
【００２８】
図６は、本明細書に記述される実施形態による、ハンドヘルドジェット分配装置１０２上で行うために所望のメンテナンス機能を判定するためのフローチャートを示す。ブロック６５０において、ハンドヘルドジェット分配装置１０２を識別してもよい。ブロック６５２において、ハンドヘルドジェット分配装置１０２がメンテナンスの期限を過ぎているかどうかについての判定を行ってもよい。ブロック６５４において、実行する所望のメンテナンスルーチンについての判定を行ってもよい。また、ブロック６５４において、所望のメンテナンスルーチンをハンドヘルドジェット分配装置１０２上で行ってもよく、その間、ハンドヘルドジェット分配装置１０２は、サービスステーション１０４内に存在する。ブロック６５６において、ハンドヘルドジェット分配装置１０２及びメンテナンスに関するデータを記録してもよく、この場合、ハンドヘルドジェット分配装置１０２はカートリッジを含み、所望のメンテナンスルーチンは、溶液の所望の流体均一性を維持するために、エネルギーをハンドヘルドジェット分配装置１０２に付与することを含む。
【００２９】
図７は、本明細書に記述される実施形態による、サービスステーション１０４上でロック機構に係合するためのフローチャートを示す。ブロック７５０に例示されるように、ハンドヘルドジェット分配装置１０２上でメンテナンス機能を実装するべきかどうかについての判定を行ってもよい。ブロック７５２において、メンテナンス機能を実装するべきと判定したことに応答して、サービスステーション１０４が閉じたかどうかについての判定を行ってもよい。ブロック７５４において、サービスステーション１０４が閉じたことが判定された場合、サービスステーション１０４のインターフェース機能（第１のインターフェース機能等）は、メンテナンス機能実行中、係合されてもよく、この場合、インターフェース機能は、サービス区画にアクセスすることに関連する。ブロック７５６において、メンテナンス機能を終了するかどうかについての判定を行ってもよい。ブロック７５８において、メンテナンス機能が終了した判定に応答して、インターフェース機能を係脱してもよい。
【００３０】
特定の実施形態に応じて、インターフェース機能は、サービス区画へのアクセスを妨げるロック機構と、ユーザーにサービス区画へのアクセスの制限を知らせる視覚出力と、ユーザーにサービス区画へのアクセスの制限を知らせる触覚出力と、ユーザーにサービス区画へのアクセスの制限を知らせる可聴指示と、サービス区画へのアクセスの制限が解除される時間を判定するタイマーと、及び／又は他のインターフェースと、を含んでもよい。また、他の機能も提供されてもよい。
【００３１】
図８は、本明細書に記述される実施形態による、サービスステーション１０４のメンテナンス機能を遮断するためのフローチャートを示す。ブロック８５０に例示されるように、メンテナンス機能を実装するべきかどうかについての判定を行ってもよい。ブロック８５２において、メンテナンス機能を実装するべきと判定したことに応答して、サービスステーション１０４が閉じたかどうかについての判定を行ってもよく、閉じている場合、ロック機構が係合される。ブロック８５４において、サービスステーション１０４の現在の状態及び／又はサービスステーション１０４にアクセスされ得る時間を識別するために、信号をユーザーに提供してもよい。ブロック８５６において、メンテナンス機能が遮断され得るとき、メンテナンス機能実行中の時間についての判定を行ってもよい。ブロック８５８において、メンテナンス機能を遮断するために、ユーザーオプション（第１のユーザーオプション、第２のユーザーオプション等）を提供してもよい。ブロック８６０において、ユーザーオプションのユーザーの選択に応答して、メンテナンス機能を遮断してもよく、ロック機構を係脱してもよい。ブロック８６２において、サービスステーション１０４を閉じると、ロック機構が再係合され得、メンテナンス機能を再開してもよい。
【００３２】
図９は、本明細書に記述される実施形態による、インターフェース機能に係合するためのフローチャートを示す。ブロック９５０に例示されるように、ハンドヘルドジェット分配装置１０２がサービスステーション１０４から取り外されたことの検出を行ってもよく、この場合、ハンドヘルドジェット分配装置１０２は、カメラレンズと、マイクロ流体のジェットノズルを伴うカートリッジと、を含む。ブロック９５２において、ハンドヘルドジェット分配装置１０２がサービスステーション１０４から離れた時間が、所定の閾値時間を満たすかどうかについての判定。ブロック９５４において、ハンドヘルドジェット分配装置１０２がサービスステーション１０４から離れた時間が、所定の閾値時間を満たしたことを判定したことに応答して、サービスステーション１０４から離れたハンドヘルドジェット分配装置１０２に関連する第１のインターフェース機能を提供してもよい。ブロック９５６において、サービスステーション１０４がハンドヘルドジェット分配装置１０２を受容したこと及びサービスステーション１０４が閉じたことを判定したことに応答して、メンテナンス機能を開始してもよく、メンテナンス機能に関連する第２のインターフェース機能を係合してもよい。ブロック９５８において、メンテナンス機能が終了した判定に応答して、第２のインターフェース機能を係脱してもよい。
【００３３】
図１０は、本明細書に記述される実施形態による、メンテナンス機能及び／又はインターフェース機能を実装するためのコンピューティングデバイス２０２を示す。コンピューティングデバイス２０２は、プロセッサ１０３０、入力／出力ハードウェア１０３２、ネットワークインターフェースハードウェア１０３４、データ格納コンポーネント１０３６（デバイスデータ１０３８ａ、サービスデータ１０３８ｂ、及び／又は他のデータを格納する）、及びメモリコンポーネント２４０を含む。メモリコンポーネント２４０は、揮発性及び／又は不揮発性メモリ等として構成されてもよく、ランダムアクセスメモリ（ＳＲＡＭ、ＤＲＡＭ、及び／又は他の種類のＲＡＭ等）、フラッシュメモリ、セキュアデジタル（ＳＤ）メモリ、レジスタ、コンパクトディスク（ＣＤ）、デジタル多用途ディスク（ＤＶＤ）、及び／又は他の種類の非一時的コンピュータ読み取り可能媒体を含んでもよい。特定の実施形態に応じて、これらの非一時的コンピュータ読み取り可能媒体は、コンピューティングデバイス２０２の内部及び／又はコンピューティングデバイス２０２の外部に存在してもよい。
【００３４】
メモリコンポーネント２４０は、オペレーティングシステムのロジック１０４２、サービスロジック２４４ａ、及びインターフェースロジック２４４ｂを格納してもよい。例として、監視ロジック２４４ａ及びインターフェースロジック２４４ｂは、それぞれ、複数の異なるロジックの断片を含み、ロジックの断片のそれぞれは、コンピュータプログラム、ファームウェア、及び／又はハードウェアとして具体化され得る。ローカルインターフェース１０４６は、また、図１０にも含まれ、コンピューティングデバイス２０２のコンポーネント間の通信を容易にするための、バス又は他の通信インターフェースとして実装されてもよい。
【００３５】
プロセッサ１０３０は、（データ格納コンポーネント１０３６及び／又はメモリコンポーネント２４０等から）命令を受信及び実行するように動作可能な、任意の処理コンポーネントを含んでもよい。上記に説明されたように、入力／出力ハードウェア１０３２は、図１０のコンポーネントを含んでもよく、及び／又はそのコンポーネントとインターフェースを取るように構成されてもよい。
【００３６】
ネットワークインターフェースハードウェア１０３４は、アンテナ、モデム、ＬＡＮポート、ワイヤレスフィディリティ（Ｗｉ−Ｆｉ）カード、ＷｉＭａｘカード、Ｂｌｕｅｔｏｏｔｈ（商標）モジュール、移動通信ハードウェア、並びに／又は他のネットワーク及び／若しくはデバイスと通信するための他のハードウェアを含む、任意の有線又は無線ネットワークハードウェアを含んでもよく、及び／又はこれらと通信するように構成されてもよい。この接続から、図１に示されたもの等の、コンピューティングデバイス２０２と他のコンピューティングデバイスとの間の通信を容易にし得る。
【００３７】
オペレーティングシステムのロジック１０４２は、コンピューティングデバイス２０２のコンポーネントを管理するためのオペレーティングシステム及び／又は他のソフトウェアを含んでもよい。上記に説明されたように、サービスロジック２４４ａがメモリコンポーネント２４０内に存在してもよく、プロセッサ１０３０に、実装するメンテナンス機能を判定させ、メンテナンスタイマー、溶液濃度等も判定させるように構成されてもよい。同様に、インターフェースロジック２４４ｂは、サービスステーション１０４が閉じたか及び／又はロックされたかどうかを判定すること、ロック機能を実装すること、メンテナンス機能が遮断され得る時期を判定すること等の、本明細書に記述される１つ以上のインターフェース機能を提供するために利用されてもよい。
【００３８】
図１０のコンポーネントは、コンピューティングデバイス２０２内部に存在するように例示されるが、これは単なる例に過ぎないことを理解されたい。いくつかの実施形態では、１つ以上のコンポーネントが、コンピューティングデバイス２０２の外部に存在してもよく、及び／又はコンピューティングデバイス２０２は、モバイルデバイスとして構成されてもよい。また、コンピューティングデバイス２０２は、単一のデバイスとして例示されるが、これもまた単なる例に過ぎないことも理解されたい。いくつかの実施形態では、サービスロジック２４４ａ及びインターフェースロジック２４４ｂは、異なるコンピューティングデバイス上に存在してもよい。例として、本明細書に記述される機能及び／又はコンポーネントのうちの１つ以上は、コンピューティングデバイス２０２に通信可能に連結され得る、ハンドヘルドジェット分配装置１０２及び／又は他のデバイスによって提供されてもよい。これらのコンピューティングデバイスはまた、本明細書に記述される機能を実行するためのハードウェア及び／又はソフトウェアを含んでもよい。
【００３９】
加えて、コンピューティングデバイス２０２は、分離したロジックコンポーネントとして、サービスロジック２４４ａ及びインターフェースロジック２４４ｂと共に例示されるが、これもまた例に過ぎない。いくつかの実施形態では、ロジックの単一の断片は、コンピューティングデバイス２０２に説明される機能を提供させ得る。
【００４０】
相互参照される又は関連する特許又は出願書類を含め、本明細書において引用されるいずれか及び全ての文献は、明示的に除外ないしは別様に制限されない限り、その全体を参考として本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００４１】
本発明の特定の実施形態を図示及び記載したが、本発明の趣旨及び範囲から逸脱することなく、他の様々な変更及び修正を行い得ることが、当業者に理解されるであろう。したがって、本発明の範囲内に含まれるそのような全ての変更及び修正は、添付の特許請求の範囲にて網羅することを意図したものである。
【図１】
2019507028.tif 000003
【図２Ａ】
2019507028.tif 000004
【図２Ｂ】
2019507028.tif 000005
【図２Ｃ】
2019507028.tif 000006
【図２Ｄ】
2019507028.tif 000007
【図３】
2019507028.tif 000008
【図４】
2019507028.tif 000009
【図５】
2019507028.tif 000010
【図６】
2019507028.tif 000011
【図７】
2019507028.tif 000012
【図８】
2019507028.tif 000013
【図９】
2019507028.tif 000014
【図１０】
2019507028.tif 000015
【国際調査報告】
2019507028.tif 000016
2019507028.tif 000017
2019507028.tif 000018